(57)【要約】【課題】  歯科用ハンドピースのチャック内へのより確実な注油を可能にする。【解決手段】  ノズル基体の後端が油を充填したスプレー缶の抽出パイプに連結されるとともに、ノズル基体の前端にハンドピースのチャック内に挿入されるノズル針管が突設される歯科用ハンドピースの注油用ノズルにおいて、ノズル針管１１の先端を閉塞し、かつ、周側に複数個の貫通孔１３、１４を設ける。【選択図】  図１
2017094012.tif 000002
【特許請求の範囲】
【請求項１】
ノズル基体の後端が油を充填したスプレー缶の抽出パイプに連結されるとともに、ノズル基体の前端に歯科用ハンドピースのチャック内に挿入されるノズル針管が突設される注油用ノズルにおいて、ノズル針管の先端を閉塞し、かつ、周側に複数個の貫通孔を設けたことを特徴とする歯科用ハンドピースの注油用ノズル。
【請求項２】
ノズル針管の中途に縮径部を設け、この縮径部に複数個の貫通孔を設けた請求項１記載の歯科用ハンドピースの注油用ノズル。
【請求項３】
ノズル針管の直径方向の対向位置に一対の貫通孔を穿設するとともに、上記一対の貫通孔に対し軸方向に偏位した箇所にさらに一対の貫通孔を穿設し、これらの４つの貫通孔は円周方向に対し９０度置きに配される請求項１または２記載の歯科用ハンドピースの注油用ノズル。
【発明の詳細な説明】
【技術分野】
【０００１】
本願発明は歯科用ハンドピースの内部に噴射により注油するために、油を充填したスプレー缶の抽出パイプに連結される注油用ノズルに関する。
【背景技術】
【０００２】
高速回転することにより歯牙を研削する切削バーを取り付けた歯科用ハンドピースが広く用いられている。前記歯科用ハンドピースは給気通路から供給される圧縮空気により回転するエアタービンをヘッドケース部に内蔵し、切削バーを掴持するチャックにエアタービンの回転力を伝える構造からなる。
【０００３】
図５は前記歯科用ハンドピースの一例を示すものであり、図中符号１はハンドピースを把持するためのケース部、２はエアタービンが収容されるヘッドケース部である。ヘッドケース部２のハウジング内にはチャック５に連結されるタービン羽根３とベアリング４が収容されエアタービンを構成する。上記のエアタービンはケース部１に内設される給気通路から供給される圧縮空気Ａにより駆動される。
【０００４】
前記したように歯科用ハンドピースにおいてはエアタービンは高速で回転するので、焼きつかないようにオイルを用いて潤滑させることが必須であり、そのためにケース部１に内設される給気通路を利用してここからオイルをヘッドケース部２のハウジング内に注入していた（特許文献１）。そして、この注油は同時にハウジング内の汚れを排出する役目も果たした。
【先行技術文献】
【特許文献】
【０００５】
【特許文献１】特開平７- ３０３６６１号公報
【特許文献２】特開２００６−２８８７２５公報
【発明の概要】
【発明が解決しようとする課題】
【０００６】
ところで、前記したように歯科用ハンドピースにおいては切削バーはチャックにより掴持されて回転される。図６は前記のチャック５を示す図である。このチャック５は筒状に構成され、先端から根本に向かって割り溝６が切り欠かれる。それにより、ノックピン８を先端に押し当てることにより割り溝６が押し開かれ、チャック後端に延設した挿入ガイド部７からチャック内に挿入される切削バーＢが割り溝間のホールドポイントに進入することを許す。そして、押し当てを解除することにより、元の径に復帰したホールドポイントにより切削バーＢが掴持される。
【０００７】
前記のチャック５は切削バーを掴持により着脱する作用を果たすが、ホールドポイントには歯牙の研削により生じる粉や細片が侵入することがあり、そのために掴持が緩くなったり、チャックが磨耗することが起こった。そのために、チャック内にも注油することが必要となるが、前記の従来技術のように公知発明のようにオイルをヘッドケース部のハウジング内に注入してもチャック内には油は行き届きにくい問題があった。
【０００８】
そのため、従来、注油用ノズルをチャック内に挿入して注油することが提案されていた（特許文献２）。本願発明はこの従来技術の改良創作に係るもので、チャック内へのより確実な注油を可能にする注油用ノズルを提供することを目的とする。
【課題を解決するための手段】
【０００９】
すなわち、本願発明の歯科用ハンドピースの注油用ノズルは、ノズル基体の後端が油を充填したスプレー缶の抽出パイプに連結されるとともに、ノズル基体の前端にハンドピースのチャック内に挿入されるノズル針管が突設される注油用ノズルにおいて、ノズル針管の先端を閉塞し、かつ、周側に複数個の貫通孔を設けたことを特徴とする。
【００１０】
また、請求項２に係る歯科用ハンドピースの注油用ノズルは、ノズル針管の中途に縮径部を設け、この縮径部に複数個の貫通孔を設けたことを特徴とする。
【００１１】
また、請求項３に係る歯科用ハンドピースの注油用ノズルは、ノズル針管の直径方向の対向位置に一対の貫通孔を穿設するとともに、上記一対の貫通孔に対し軸方向に偏位した箇所にさらに一対の貫通孔を穿設し、これらの４つの貫通孔は円周方向に対し９０度置きに配されることを特徴とする。
【発明の効果】
【００１２】
以上の構成よりなる本願発明の歯科用ハンドピースの注油用ノズルは、ハンドピースのチャック内にノズル針管を挿入して注油するので、従来、油が充分行き届かなかったチャックのホールドポイントに油を行き届かすことができ、ホールドポイント内に侵入した歯牙の研削により生じる粉や細片を排出することにより、掴持が緩くなることを防止したり、チャックが磨耗することを防止できる。
【００１３】
そして、ノズル針管の先端を閉塞し、かつ、周側に複数個の貫通孔を設けているので、ノズル針管の全周に渡って油が行き渡り、チャックのホールドポイント内に満遍なく注油することが可能となる。
【００１４】
また、請求項２に係る発明によれば、ノズル針管の中途に縮径部を設け、この縮径部に複数個の貫通孔を設けているので、縮径部により生じたノズル針管の外周の窪みに噴出した油は一旦溜められ、チャックのホールドポイント内により満遍なく注油することが可能となる。
【００１５】
また、請求項３に係る発明によれば、ノズル針管の直径方向の対向位置に一対の貫通孔を穿設するとともに、上記一対の貫通孔に対し軸方向に偏位した箇所にさらに一対の貫通孔を穿設し、これらの４つの貫通孔は円周方向に対し９０度置きに配されるので、注出される油はノズル針管の全周はもとより、全長方向（軸方向）にも行き渡り、チャックのホールドポイント内に満遍なく注油することが可能となる。
【図面の簡単な説明】
【００１６】
【図１】本願発明の歯科用ハンドピースの注油用ノズルの斜視図。
【図２】同上、平面図。
【図３】同上、正面図。
【図４】同上、Ａ−Ａ線断面図。
【図５】同上、使用状態を示す正面図。
【図６】歯科用ハンドピースの概要を示す正面図。
【図７】歯科用ハンドピースのチャックの正面図。
【図８】本願発明の歯科用ハンドピースの使用状態を示す正面図。
【発明を実施するための最良の形態】
【００１７】
以下、本願発明の具体的実施例を添付図面に基づいて説明する。図１〜図４は本願発明の歯科用ハンドピースの注油用ノズルＮを示す図である。この注油用ノズルＮは金属により構成されるものであり、油を充填したスプレー缶の抽出パイプ（図示せず）に外挿されるノズル基体１０の先端に歯科用ハンドピース１のチャック５内に挿入されるノズル針管１１が突設される。
【００１８】
前記のノズル針管１１は歯科用ハンドピース１のチャック５の後端に延設した挿入ガイド部７からチャック内に挿入可能な切削バーと同様な外径を有するものであり、先端を閉塞した筒状に構成され、チャック内に挿入した際にチャックのホールドポイントに位置する箇所の周側に油が注出される複数個の貫通孔が設けられる。
【００１９】
また、ここでは前記の貫通孔が設けられるノズル針管の中途に縮径部１２が凹設される。
【００２０】
前記の貫通孔はここでは、ノズル針管１１の直径方向の対向位置に一対の貫通孔１３、１３を穿設するとともに、上記一対の貫通孔に対し軸方向に偏位した箇所にさらに一対の貫通孔１４、１４を穿設し、これらの４つの貫通孔を円周方向に対し９０度置きに配している。
【００２１】
以上の構成よりなる本願発明の注油用ノズルＮは、ノックピン８を先端に押し当てることにより割り溝６が押し開かれた歯科用ハンドピース５のチャック５に挿入ガイド部７から挿入された後、掴持され、チャックのホールドポイントに達した貫通孔１３、１３、貫通孔１４、１４から油を噴出させて使用に供される（図５および図７参照）。
【符号の説明】
【００２２】
１０        ノズル基体
１１        ノズル針管
１２        縮径部
１３        貫通孔
１４        貫通孔
【図１】
2017094012.tif 000003
【図２】
2017094012.tif 000004
【図３】
2017094012.tif 000005
【図４】
2017094012.tif 000006
【図５】
2017094012.tif 000007
【図６】
2017094012.tif 000008
【図７】
2017094012.tif 000009
【図８】
2017094012.tif 000010